(57)【要約】【課題】記録媒体駆動ユニットを備える記録再生装置であって、記録媒体駆動ユニットと装置の電源部分の冷却の効率化を簡単且つ安価に実現可能な構造を備える記録再生装置の提供。【解決手段】ＨＤＤユニット１２を支持する支持部材であって、ＨＤＤユニット１２とシャーシ１５との間に空間を形成するための脚部材を備え、且つ、前面側となる部分と一方の側面部分に側壁を備えることにより、前記空間の２方向を閉塞する構成を有する支持部材１１を形成し、天板部材１９の側面部に吸気孔１９１を形成し、吸気孔１９１の隣部となる箇所に支持部材１１を前記側壁の無い側面が吸気孔１９１に対向するように配置し、支持部材１１の後方となる位置に排気ファン１４を配置し、当該排気ファンと１４支持部材１１の間となる箇所に電源部１３を配置することで、吸気から排気までの通風路を形成し、冷却の効率化を図る。【選択図】図１
2008130173.tif 000002
【特許請求の範囲】
【請求項１】
記録媒体駆動ユニットを備える記録再生装置であって、前記記録媒体駆動ユニットを支持する支持部材と、電源部と、冷却用の排気ファンと、装置の筐体であって略直方体となる筐体部材と、を備え、前記支持部材は、前記記録媒体駆動ユニットを搭載する搭載面と、当該搭載面と当該支持部材を前記記録再生装置に取り付けるための取り付け面との間に空間を形成するための脚部材を備え、且つ、前記記録再生装置に取り付けられた状態における前面側となる部分と一方の側面部分に側壁を備えることにより、前記空間の２方向を閉塞する構成を有しており、前記筐体部材の側面部に吸気孔を形成し、当該吸気孔の隣部となる箇所に、前記記録媒体駆動ユニットを保持した前記支持部材を、前記側壁の無い側面が前記吸気孔に対向するように配置し、当該支持部材の後方となる位置であって前記筐体部材の背面部に前記排気ファンを配置し、当該排気ファンと前記支持部材の間となる箇所に前記電源部を配置したことを特徴とする記録再生装置。
【請求項２】
前記記録媒体駆動ユニットが１つ又は複数のＩＣを備えており、当該記録媒体駆動ユニットが前記搭載面に搭載された状態で前記ＩＣが位置する箇所の前記搭載面の裏側に通風路が形成されるように、前記搭載面の裏側に通風板を１つ又は複数形成したことを特徴とする請求項１記載の記録再生装置。
【請求項３】
前記記録媒体駆動ユニットが媒体駆動用のモータを備えており、当該記録媒体駆動ユニットが前記搭載面に搭載された状態で前記媒体駆動用モータが位置する箇所の前記搭載面の裏側に通風路が形成されるように、前記搭載面の裏側に通風板を１つ又は複数形成したことを特徴とする請求項１又は請求項２に記載の記録再生装置。
【請求項４】
前記通風板が、前記前面側の側壁及び側面側の側壁にほぼ沿うように形成されることにより、当該通風板と前記前面側の側壁及び側面側の側壁によって前記通風路が形成され、且つ、当該通風路の入口付近より出口付近が狭くなるように前記通風板を形成し、当該通風路の出口の延長線上に前記電源部の発熱部材が配置されるように構成したことを特徴とする請求項２又は請求項３に記載の記録再生装置。
【請求項５】
前記支持部材及び前記通風板及びシャーシを導熱性部材によって構成し、前記支持部材を前記シャーシに取り付けることを特徴とする請求項２乃至請求項４の何れか１つに記載の記録再生装置。
【発明の詳細な説明】
【技術分野】
【０００１】
本発明は、記録媒体駆動ユニットを備える記録再生装置に関し、特に記録媒体駆動ユニットの冷却構造に配慮した記録再生装置に関する。
【背景技術】
【０００２】
例えばＨＤＤレコーダのような記録再生装置においては、その筐体内に種々の電子部品や電子装置等が実装されており、これらの電子部品等のなかには相当量の熱を発生するものも存在する。加えてこれらの電子部品等は温度が上昇しすぎると動作が不安定になるものも存在するため、電気機器内に発生した熱をうまく放熱してやることが必要となる。このような熱問題は、近年の製品の小型化・薄型化のための部品の高密度化や、性能向上のための部品の高出力化などに伴いより顕著なものとなっている。
【０００３】
このような問題に対し、電機機器の筐体に通風孔及び排気用のファンを設けることで、外気を筐体内に取り込むと共に筐体内の熱気を筐体の外に排出することが従来から行われており、筐体内に流入する外気の流れを効率化することで排熱効果を高めるための構造に関する従来技術が、特許文献１〜特許文献７などによって開示されている。
【０００４】
【特許文献１】特開平９−２１８７２４号公報
【特許文献２】特開平１０−２０７５７８号公報
【特許文献３】特開平１１−５３０６１号公報
【特許文献４】特開平１１−１１２１７７号公報
【特許文献５】特開２０００−８２８８８号公報
【特許文献６】特開２００５−２２２５８４号公報
【特許文献７】特開２００６−８５３９９号公報
【発明の開示】
【発明が解決しようとする課題】
【０００５】
記録再生装置の筐体内においては、記録媒体への信号の読み書きを行う記録媒体駆動ユニットや電源部が、主要な熱の発生源として挙げられ、これらの部材を効率よく冷却することが求められる。
【０００６】
本発明は、上記した点に鑑み、記録媒体駆動ユニットを備える記録再生装置であって、記録媒体駆動ユニットと装置の電源部分の冷却の効率化を簡単且つ安価に実現可能な構造を備える記録再生装置を提供することを目的とする。
【課題を解決するための手段】
【０００７】
請求項１記載の記録再生装置は、記録媒体駆動ユニットを備える記録再生装置であって、前記記録媒体駆動ユニットを支持する支持部材と、電源部と、冷却用の排気ファンと、装置の筐体であって略直方体となる筐体部材と、を備え、前記支持部材は、前記記録媒体駆動ユニットを搭載する搭載面と、当該搭載面と当該支持部材を前記記録再生装置に取り付けるための取り付け面との間に空間を形成するための脚部材を備え、且つ、前記記録再生装置に取り付けられた状態における前面側となる部分と一方の側面部分に側壁を備えることにより、前記空間の２方向を閉塞する構成を有しており、前記筐体部材の側面部に吸気孔を形成し、当該吸気孔の隣部となる箇所に、前記記録媒体駆動ユニットを保持した前記支持部材を、前記側壁の無い側面が前記吸気孔に対向するように配置し、当該支持部材の後方となる位置であって前記筐体部材の背面部に前記排気ファンを配置し、当該排気ファンと前記支持部材の間となる箇所に前記電源部を配置したことを特徴とする。
【０００８】
上記構成によれば、記録媒体駆動ユニットが、下部に所定の空間を有する支持部材に支持され、且つ、当該空間はその前面側及び一方の側面の２方向を閉塞されており、閉塞されていない他方の側面が筐体に備えられる吸気孔に対抗するように配置され、閉塞されていない残りの１方向である背面側に、電源部と、排気ファンが配置されることとなる。よって、吸気孔→記録媒体駆動ユニットの下部→電源部→排気ファンという通風路が形成されることとなる。なお、装置の前面とは、いわゆる装置の正面であって一般的には操作ボタンなどが形成される面であり、側面とは装置を通常の使用形態で設置した状態における側面をいうものであるが、絶対的な意味で“前面”などを規定しているものではなく、本明細書で開示される発明の趣旨に従って適宜解釈され得るものである。
【０００９】
請求項２記載の記録再生装置は、請求項１記載の記録再生装置であって、前記記録媒体駆動ユニットが１つ又は複数のＩＣを備えており、当該記録媒体駆動ユニットが前記搭載面に搭載された状態で前記ＩＣが位置する箇所の前記搭載面の裏側に通風路が形成されるように、前記搭載面の裏側に通風板を１つ又は複数形成したことを特徴とする。
【００１０】
上記構成によれば、記録媒体駆動ユニットの下部であって当該記録媒体駆動ユニットのＩＣが位置する箇所に、通風路が形成されるように、支持部材の搭載面の裏側に通風板が形成される。
【００１１】
請求項３記載の記録再生装置は、請求項１又は請求項２に記載の記録再生装置であって、前記記録媒体駆動ユニットが媒体駆動用のモータを備えており、当該記録媒体駆動ユニットが前記搭載面に搭載された状態で前記媒体駆動用モータが位置する箇所の前記搭載面の裏側に通風路が形成されるように、前記搭載面の裏側に通風板を１つ又は複数形成したことを特徴とする。
【００１２】
上記構成によれば、記録媒体駆動ユニットの下部であって当該記録媒体駆動ユニットに備えられる媒体駆動用のモータが位置する箇所に、通風路が形成されるように、支持部材の搭載面の裏側に通風板が形成される。
【００１３】
請求項４記載の記録再生装置は、請求項２又は請求項３に記載の記録再生装置であって、前記通風板が、前記前面側の側壁及び側面側の側壁にほぼ沿うように形成されることにより、当該通風板と前記前面側の側壁及び側面側の側壁によって前記通風路が形成され、且つ、当該通風路の入口付近より出口付近が狭くなるように前記通風板を形成し、当該通風路の出口の延長線上に前記電源部の発熱部材が配置されるように構成したことを特徴とする。
【００１４】
上記構成によれば、通風路の入口付近より出口付近が狭くなるように、通風板と前面側の側壁及び側面側の側壁によって通風路が形成され、且つ、当該通風路の出口の延長線上に前記電源部の発熱部材が配置される。
【００１５】
請求項５記載の記録再生装置は、請求項２乃至請求項４の何れか１つに記載の記録再生装置であって、前記支持部材及び前記通風板及びシャーシを導熱性部材によって構成し、前記支持部材を前記シャーシに取り付けることを特徴とする。
【００１６】
上記構成によれば、記録媒体駆動ユニットが保持される支持部材と、当該支持部材を取り付けるためのシャーシが、何れも導熱性部材によって構成され、且つ支持部材がシャーシに取り付けられるため、熱的な回路として相互に接続されることとなる。
【発明の効果】
【００１７】
本発明の請求項１記載の、記録媒体駆動ユニットを備える記録再生装置であって、前記記録媒体駆動ユニットを支持する支持部材と、電源部と、冷却用の排気ファンと、装置の筐体であって略直方体となる筐体部材と、を備え、前記支持部材は、前記記録媒体駆動ユニットを搭載する搭載面と、当該搭載面と当該支持部材を前記記録再生装置に取り付けるための取り付け面との間に空間を形成するための脚部材を備え、且つ、前記記録再生装置に取り付けられた状態における前面側となる部分と一方の側面部分に側壁を備えることにより、前記空間の２方向を閉塞する構成を有しており、前記筐体部材の側面部に吸気孔を形成し、当該吸気孔の隣部となる箇所に、前記記録媒体駆動ユニットを保持した前記支持部材を、前記側壁の無い側面が前記吸気孔に対向するように配置し、当該支持部材の後方となる位置であって前記筐体部材の背面部に前記排気ファンを配置し、当該排気ファンと前記支持部材の間となる箇所に前記電源部を配置したことを特徴とする記録再生装置によれば、吸気孔→記録媒体駆動ユニットの下部（支持部材が有する空間部分）→電源部→排気ファンという通風路が形成されることとなる（支持部材に形成される“側壁”によって吸気孔から流入する外気の流れが規制される）ため、効率よく記録媒体駆動ユニットと電源部を冷却させることが可能となる。
【００１８】
本発明の請求項２記載の、前記記録媒体駆動ユニットが１つ又は複数のＩＣを備えており、当該記録媒体駆動ユニットが前記搭載面に搭載された状態で前記ＩＣが位置する箇所の前記搭載面の裏側に通風路が形成されるように、前記搭載面の裏側に通風板を１つ又は複数形成したことを特徴とする請求項１記載の記録再生装置によれば、記録媒体駆動ユニットの下部であって当該記録媒体駆動ユニットのＩＣが位置する箇所に、通風路が形成されるため、より効率よく記録媒体駆動ユニットを冷却させることが可能となる。
【００１９】
本発明の請求項３記載の、前記記録媒体駆動ユニットが媒体駆動用のモータを備えており、当該記録媒体駆動ユニットが前記搭載面に搭載された状態で前記媒体駆動用モータが位置する箇所の前記搭載面の裏側に通風路が形成されるように、前記搭載面の裏側に通風板を１つ又は複数形成したことを特徴とする請求項１又は請求項２に記載の記録再生装置によれば、記録媒体駆動ユニットの下部であって当該記録媒体駆動ユニットに備えられる媒体駆動用のモータが位置する箇所に、通風路が形成されるため、より効率よく記録媒体駆動ユニットを冷却させることが可能となる。
【００２０】
本発明の請求項４記載の、前記通風板が、前記前面側の側壁及び側面側の側壁にほぼ沿うように形成されることにより、当該通風板と前記前面側の側壁及び側面側の側壁によって前記通風路が形成され、且つ、当該通風路の入口付近より出口付近が狭くなるように前記通風板を形成し、当該通風路の出口の延長線上に前記電源部の発熱部材が配置されるように構成したことを特徴とする請求項２又は請求項３に記載の記録再生装置によれば、通風路の入口付近より出口付近が狭くなるように通風板と前面側の側壁及び側面側の側壁によって通風路が形成されため、当該通風路の出口付近から流出する風速が増加する傾向となり、当該出口の延長線上に前記電源部の発熱部材が配置されるため、電源部の冷却効率の向上を図ることが可能となる。
【００２１】
本発明の請求項５記載の、前記支持部材及び前記通風板及びシャーシを導熱性部材によって構成し、前記支持部材を前記シャーシに取り付けることを特徴とする請求項２乃至請求項４の何れか１つに記載の記録再生装置によれば、記録媒体駆動ユニットが保持される支持部材と、当該支持部材を取り付けるためのシャーシが、何れも導熱性部材によって構成され、且つ支持部材がシャーシに取り付けられるため、熱的な回路として相互に接続されることとなる。従って、記録媒体駆動ユニットが発生する熱が、支持部材やシャーシへと伝達され、且つ、これらの部材にも筐体外から流入する外気が触れるため、効率よく記録媒体駆動ユニットを冷却することが可能となる。
【発明を実施するための最良の形態】
【００２２】
以下、本発明の具体的実施例について、図面を参照しながら説明する。なお、以下の実施態様は、本発明を具体化する際の一形態であって、本発明をその範囲内に限定するためのものではない。
【実施例１】
【００２３】
図１は本実施例の記録再生装置たるＤＶＤ／ＨＤＤレコーダの一部を分解した分解斜視図であり、図２は同ＤＶＤ／ＨＤＤレコーダに備えられるＨＤＤの支持部材を裏面側から見た斜視図、図３は同ＤＶＤ／ＨＤＤレコーダの主な構成の配置を示した概略ブロック図である。
【００２４】
ＤＶＤ／ＨＤＤレコーダ１は、記録媒体たる磁気ディスクへの記録再生を行うＨＤＤユニット（記録媒体駆動ユニット）１２や記録媒体たるＤＶＤへの記録再生を行うＤＶＤユニット１７等を備えることにより、ＨＤＤやＤＶＤへの記録再生処理を実行可能な装置であり、図１に示されるように、天板部材１９とフロントパネル１６とシャーシ１５とによって構成される略直方体の筐体部材の中に、装置全体の制御などを行うためのメイン基板１８と、外部からの電力供給を受けて装置内に電力を供給させる電源基板（電源部）１３と、装置内の冷却用の排気ファン１４と、ＤＶＤユニット１７と、ＨＤＤユニット１２と、ＨＤＤユニットを支持してシャーシ１５に固定するための支持部材１１と、などを備える。なお、支持部材１１とシャーシ１５は、熱伝導率の高い導熱性部材（例えば、銅やアルミニウムといった金属や、金属やセラミック粒子を混ぜたプラスチック等）によって形成される。
【００２５】
図２に示されるように（裏面側であることに留意）、支持部材１１は、ＨＤＤユニット１２を搭載する搭載面１１５と、搭載面１１５と当該支持部材１１をＤＶＤ／ＨＤＤレコーダ１に取り付けるための取り付け面であるシャーシ１５との間に空間を形成するための脚部材１１３を備え、且つ、ＤＶＤ／ＨＤＤレコーダ１に取り付けられた状態における前面側（フロントパネル１６側）となる部分に側壁１１１を備え、一方の側面部分（ＤＶＤユニット１７側）に側壁１１２を備えることにより、前記空間の２方向を閉塞する構成を有している。なお、側壁１１１と側壁１１２は、シャーシ１５との間に空間を形成するための脚部材としての機能も有し、脚部材１１３や側壁１１１・側壁１１２にはシャーシ１５に支持部材１１をネジ止めするための舌片部１１６が形成される。
【００２６】
天板部材１９の側面部（装置の側面部となる部分）には吸気孔１９１が形成され、当該吸気孔１９１の隣部となる箇所に、ＨＤＤユニット１２を保持した支持部材１１が、側壁の無い側面が吸気孔１９１に対向するように配置される。なお、ＨＤＤユニット１２の支持部材１１への取り付けはネジ止めなどによって行われる。この際にＨＤＤユニット１２と搭載面１１５とを熱伝導率の高い部材を介して接触させるなどしてもよい。
【００２７】
図１や図３に示されるように、支持部材１１の後方となる位置であって筐体部材（シャーシ１５）の背面部に排気ファン１４が配置され、当該排気ファン１４と支持部材１１の間となる箇所に電源基板１３が配置される。
【００２８】
上記構成を有するＤＶＤ／ＨＤＤレコーダ１によれば、図３に示されるように、装置外→吸気孔１９１→ＨＤＤユニット１２の下部（支持部材１１が形成する空間部分）→電源基板１３→排気ファン１４→装置外という通風路が形成されることとなる（支持部材１１に形成される側壁１１１・１１２によって吸気孔１９１から流入する外気の流れが規制される）ため、効率よくＨＤＤユニット１２と電源基板１３を冷却させることが可能なＤＶＤ／ＨＤＤレコーダ１を、簡単な構成で実現することができ、安価に製造することができる。また、支持部材１１と、当該支持部材１１を取り付けるためのシャーシ１５が、何れも導熱性部材によって構成され、且つ支持部材１１がシャーシ１５に取り付けられるため、熱的な回路として相互に接続されることとなる。従って、ＨＤＤユニット１２が発生する熱が、支持部材１１やシャーシ１５へと伝達され、且つ、これらの部材にも筐体外から流入する外気が触れるため、効率よくＨＤＤユニット１２を冷却することが可能となる。
【００２９】
なお、図３に矢印で示した外気の流入経路（通風路）は、支持部材１１に形成される側壁１１１・１１２によってその方向を規制されたものであり、従って、支持部材１１が存在する位置における通風路となる。よって支持部材１１より上の位置や前側や後側の位置ではＤＶＤユニット１７の方向への空気の流入も存在する。これにより、支持部材１１が存在する位置と同レベルの高さ位置（シャーシ１５上）に配置される電源基板１３に対する冷却効果を効率よく得られる（図３に矢印で示した外気の流入経路が形成される為）と共に、その他の位置においてはその他の部材（ＤＶＤユニット１７等）に対する冷却効果も期待できる。
【００３０】
本実施例のＤＶＤユニット１７は開放的な構造（箱状の筐体に密閉されるようなものではない）であるため、比較的放熱能力が高く、且つ、吸気孔１９１が形成される筐体（天板部材１９）側面とは逆の側面に形成される吸気孔１９２から排気ファン１４へといたる通風路による冷却効果が得られるため、本発明の直接的な適用対象とはなっていないが、本発明の適用対象をＨＤＤユニットに限定するというような趣旨ではなく、各装置の具体的な構成・設計思想に基づいて、ＨＤＤユニットではない他の記録媒体駆動ユニット（例えば、ＤＶＤユニットや半導体メモリユニットなど）を本発明に係る支持部材に支持させることができるものである。
【実施例２】
【００３１】
図４は、実施例２に係る記録再生装置に備えられる支持部材を示した図である。なお、本実施例の記録再生装置の基本的な構成は、実施例１のＤＶＤ／ＨＤＤレコーダ１と同様であるためここでの説明を省略し、必要があるときは図１や図３などを参照して説明する。
【００３２】
本実施例の支持部材４０は、基本的な構成は実施例１の支持部材１１と同様であるが（支持部材１１と同様の構成については同一の符号を使用）、搭載面１１５の内面側には通風板４１が形成される。
【００３３】
図４中の符号１２１は、支持部材４０に搭載されるＨＤＤユニット１２が備えるＩＣの位置を示すものである。通風板４１は、高さ寸法が側壁１１１・１１２の約半分程度であり、図４（ｂ）に示されるように、ＩＣが位置する箇所１２１の搭載面１１５の裏側に通風路が形成されるように、前面側の側壁１１１及び側面側の側壁１１２に概ね沿うように形成され、なお且つ、通風路の入口付近（吸気孔１９１に対向する位置）より出口付近が狭くなるように形成される。さらに、本実施例の記録再生装置は、図４（ｃ）に示されるように、通風路の出口付近の延長線上に電源基板１３の主な発熱部材（例えば、スイッチング素子１３２やトランス１３１、その他２次側電源の整流素子等）が配置される。なお、図４（ｂ）、図４（ｃ）共に裏面側から見た図である。
【００３４】
上記構成の記録再生装置によれば、ＨＤＤユニット１２の下部であって当該ＨＤＤユニット１２のＩＣが位置する箇所に、流入した外気の流れを誘導する通風板４１が配置されることによる通風路が形成されるため、効率よくＨＤＤユニット１２を冷却させることが可能となる。且つ、通風板４１を導熱性部材によって形成することで、通風板４１は放熱板としての機能も果たし、より効率よくＨＤＤユニット１２を冷却させることが可能となる。
【００３５】
さらに、通風路の入口付近より出口付近が狭くなるように通風板４１と前面側の側壁１１１及び側面側の側壁１１２によって通風路が形成されため、当該通風路の出口付近から流出する風速が増加する傾向となり、当該出口の延長線上に電源基板１３の発熱部材（スイッチング素子１３２やトランス１３１等）が配置されるため、電源基板１３の冷却効率の向上を図ることが可能となる。
【００３６】
なお、図８に示したように、通風板４１と前面側の側壁１１１によって形成される通風路の入口付近においては、吸気孔１９１を、当該入口付近にのみ形成するようにすることで、当該付近の外気が通風板４１と側壁１１１・側壁１１２によって形成される通風路により確実に流入するようにしてもよい。図８では、ＨＤＤユニット１２の上面と略同一となる位置にさらに吸気孔１９１を形成することで、ＨＤＤユニット１２及びその向こう側に配置されるＤＶＤユニット１７の冷却効果も望めるようにしているが、通風路の入口付近以外の吸気孔１９１を減少させる（若しくは無くす）ことで、排気ファン１４の動作により発生する負圧を通風路の入口付近に集中させ、通風路の風量を増大させるものであってもよい。
【００３７】
本実施例では、通風板４１の高さを側壁１１１・１１２の約半分程度としたが、側壁１１１・１１２と同様の高さとしても構わないし、プレス加工などによって形成されるリブによって通風板４１を構成することでやや低いものとしても構わない（より明確に“通風路”を形成するためにはある程度の高さが必要ではある）。
【００３８】
ＨＤＤユニット１２のＩＣの位置については、図４に図示したようなものに限るものではなく、より風量の増大が望めるような配置とし、これに沿った通風路が形成されるように通風板を形成するようにしてよい（例えば図５に示したように、通風路がより滑らかなラインとなるように、ＩＣを対角線的に配置し、これに沿うようにＩＣの配置位置の両側に通風板４１を形成する等）。ただし、ＨＤＤユニット１２の設計上の理由などによりＩＣの位置が決まってしまっているような場合には、必ずしも全てのＩＣに対して有効な通風路を形成できるとは限らない為、より発熱量の高いＩＣ（例えば、媒体駆動部の駆動制御、若しくは媒体へのアクセスを行うヘッド部の駆動制御を行う駆動制御用ＩＣを筆頭に、ユニット全体の制御を行うコントローラＩＣや、各種のデータを記憶するメモリＩＣなど）に対して通風路が形成されるように通風板４１を形成するものであってよい。
【００３９】
図６は別の支持部材６０を示す図である。図中の符号１２２は、支持部材６０に搭載されるＨＤＤユニット１２が備える媒体駆動用のモータの位置を示すものである。支持部材６０では、各ＩＣを冷却するための通風路を形成する通風板４１（ここでは、その高さを側壁と同様のものとすることで、ＩＣ側と媒体駆動用のモータ側とを完全に隔離した通風路としている）の他に、媒体駆動用のモータの直下部分となる位置に通風板４１が形成される。通風板４１は媒体駆動用のモータの直下付近の風向をこの背後に配置される電源基板１３へと向かせることで、電源基板１３の冷却の効率化を図ると共に、導熱性部材で形成されることにより、媒体駆動用のモータから発生する熱を放熱する放熱板として機能し、ＨＤＤユニット１２の冷却の効率化を図ることができるものである。
【００４０】
図７はさらに別の支持部材７０を示す図である。支持部材７０では、ＨＤＤユニット１２が備える各ＩＣ及び媒体駆動用のモータのそれぞれに対して、通風板４１が形成されることで、それぞれに対する通風路を形成しており、且つ、それぞれの通風板４１がそれぞれのＩＣ及び媒体駆動用のモータに近接する位置に形成される（図ではややずれた位置に通風板４１を形成しているが、各ＩＣ等の直下となる位置に通風板４１を形成するものであってよい）ことで、通風板４１が各部材の熱を放熱する放熱板として機能し（若しくは、支持部材の側壁がＩＣの直下若しくはその近傍となるように配置することで、側壁を放熱板としてより機能させるものであってもよい）、ＨＤＤユニット１２の冷却の効率化を図ることができるものである。
【００４１】
なお、実施例中では、記録再生装置の具体例として、ＤＶＤ／ＨＤＤレコーダを用いて説明したが、本発明の適用対象をこれに限定するものではなく、各種記録媒体（光ディスク媒体や磁気ディスク媒体、半導体メモリなど）への記録再生を行う記録媒体駆動ユニットと、電源部と、排気ファンとを筐体内に備える各種電子装置（例えばパソコンや記録媒体駆動ユニットを内蔵したテレビ等）に対して、上記説明した概念に沿った支持部材を備えさせることで、有効に適用することができる。
【図面の簡単な説明】
【００４２】
【図１】ＤＶＤ／ＨＤＤレコーダの一部を分解した分解斜視図
【図２】ＨＤＤの支持部材を裏面側から見た斜視図
【図３】ＤＶＤ／ＨＤＤレコーダの主な構成の配置を示したブロック図
【図４】実施例２の支持部材を示した図であり、（ａ）：裏面側から見た斜視図、（ｂ）：裏面側から見た平面図、（ｃ）電源基板１３と配置関係を示す図
【図５】別の支持部材を裏面側から見た平面図
【図６】別の支持部材を示す図であり、（ａ）：裏面側から見た斜視図、（ｂ）：裏面側から見た平面図
【図７】別の支持部材を示す図であり、（ａ）：裏面側から見た斜視図、（ｂ）：裏面側から見た平面図
【図８】ＤＶＤ／ＨＤＤレコーダの側面図
【符号の説明】
【００４３】
１      ＤＶＤ／ＨＤＤレコーダ（記録再生装置）
１１    支持部材
１２    ＨＤＤユニット（記録媒体駆動ユニット）
１３    電源基板（電源部）
１４    排気ファン
１５    シャーシ
１９    天板部材（筐体部材）
４１    通風板
１１１  前面側側壁
１１２  側面側側壁
１１３  脚部材
１１５  搭載面
１３１  トランス（電源部の発熱部材）
１３２  スイッチング素子（電源部の発熱部材）
１９１  吸気孔
【図１】
2008130173.tif 000003
【図２】
2008130173.tif 000004
【図３】
2008130173.tif 000005
【図４】
2008130173.tif 000006
【図５】
2008130173.tif 000007
【図６】
2008130173.tif 000008
【図７】
2008130173.tif 000009
【図８】
2008130173.tif 000010